(57)【要約】【課題】器具本体に取付バネの係止部を設けることなく、器具本体に仮止めすることができる取付バネを備えた埋込型照明器具を提供する。【解決手段】器具本体１１と、該器具本体１１を取付穴Ｈに埋め込んで取り付けるための取付バネ３１を備える埋込型照明器具１００において、前記取付バネ３１は、基端部が前記器具本体１１側部に当接して固定されるとともに、自由端部が前記器具本体１１側方に延出され、前記基端部側に設けられる係止部３４、及び前記自由端部側に設けられ、前記係止部３４に係脱する被係止部４４からなる仮止め機構と、前記被係止部４４を前記係止部３４に係合した際に前記器具本体１１の側方に突出形成される突出部６０と、を有する。【選択図】図４
2014220206.tif 000002
【特許請求の範囲】
【請求項１】
機器本体と、該機器本体を取付穴に埋め込んで取り付けるための取付バネを備える埋込型電子機器において、
前記取付バネは、
基端部が前記機器本体側部に固定されるとともに、自由端部が前記機器本体側方に延出され、
前記基端部側に設けられる係止部と、前記自由端部側に設けられ、前記係止部に係脱する被係止部とを備える仮止め機構と、
前記被係止部を前記係止部に係合した際に前記機器本体の側方に突出形成される突出部と、を有することを特徴とする埋込型電子機器。
【請求項２】
前記取付バネの基端部側は、
前記機器本体に固定される取付部と、
前記被係止部が設けられ、前記機器本体の側部に当接する本体当接部と、を有し、
前記本体当接部は、リブ部を有することを特徴とする請求項１に記載の埋込型電子機器。
【請求項３】
前記機器本体の側部は、本体係止部を有し、
前記本体当接部は、前記本体係止部に係合する本体被係止部を有することを特徴とする請求項１または請求項２に記載の埋込型電子機器。
【請求項４】
前記取付バネは、前記機器本体側部に少なくとも一対配置され、
前記被係止部を前記係止部に係合した際に、前記一対の取付バネの自由端間の間隔が前記取付穴の幅よりも大きいことを特徴とする請求項１から請求項３のうちいずれか一項に記載の埋込型電子機器。
【請求項５】
基端部と、自由端部とを有し、
前記基端部が埋込型電子機器の機器本体側部に固定され、該機器本体を取付穴に埋め込んで取り付けるための取付バネであって、
前記基端部側に設けられる係止部と、
前記自由端部側に設けられ、前記係止部に係脱する被係止部と、を備える仮止め機構を有することを特徴とする取付バネ。
【発明の詳細な説明】
【技術分野】
【０００１】
本発明は、機器本体を取付穴に埋め込んで取り付けるための取付バネを備えた埋込型電子機器及びその取付バネに関する。
【背景技術】
【０００２】
従来、天井等の取付壁部に形成された取付穴に埋め込まれて取り付けられる埋込型電子機器の一例として、埋込型照明器具が知られている。この種の埋込型照明器具としては、器具本体と、器具本体の内部に設けられた光源部と、器具本体の外周縁に形成されたフランジとを備え、器具本体を取付穴に固定する固定手段として、取付バネを備えたものが知られている（例えば、特許文献１参照）。
【０００３】
特許文献１には、本体部と、当該本体部を穿設孔に取付けるための取付バネとして二つの弾性片を備えた埋込型照明器具が開示されている。各弾性片の基端部側には、本体部にネジで固定される本体取付用片を備える。一方、各弾性片の先端側には、本体部に係脱自在に係止し得る本体係止部と、本体部の落下防止用の天井係止部を有するリブとを備える。本体係止部を本体部に係止すると前記本体取付用片とリブとの間に、湾曲部が形成され、その状態で、本体部を天井の穿設孔に入れれば、天井係止部が天井に係止することなく穿設孔に案内される。さらに、この湾曲部が、穿設孔の内周壁に当接することで本体係止部と本体部との係止が外れ、本体部を穿設孔に装着できる。すなわち、この埋込型照明器具は、予め本体部に本体係止部が係止された状態（仮止め状態）で穿設孔に入れた際に、当該係止された状態が解除される係脱機構（仮止め機構）を有する。そのため、この埋込型照明器具を天井に取付ける際に、作業者が手で取付バネである弾性片を弾性力に抗して本体部側に撓ませなくてもよく、容易に取り付け作業を行うことができるものである。
【先行技術文献】
【特許文献】
【０００４】
【特許文献１】特開平９−２３１８２７号公報
【発明の概要】
【発明が解決しようとする課題】
【０００５】
しかしながら、特許文献１に開示された埋込型照明器具においては、弾性片先端側の本体係止部を埋込型照明器具の本体部に係止する構成であるため、当該本体部に本体係止部を係止する部分を設ける必要がある。このような構成の場合、本体部の形状を変更する際にも本体部の所定の位置に本体係止部を設ける必要があるため、本体部、ひいては埋込型照明器具全体の形状設計に制約が生じてしまう。そのため、埋込型照明器具としては、上記のような係脱機構を有するとともに、本体部（器具本体）に本体係止部を設けない構成のものが望まれる。
【０００６】
そこで、本発明は、上記課題に鑑みてなされたものであり、器具本体に取付バネの係止部を設けることなく、器具本体に仮止めすることができる取付バネを備えた埋込型電子機器を提供することを目的とする。
【課題を解決するための手段】
【０００７】
本発明の解決しようとする課題は以上の如くであり、次にこの課題を解決するための手段を説明する。
【０００８】
即ち、本願に開示する埋込型電子機器は、
機器本体と、該機器本体を取付穴に埋め込んで取り付けるための取付バネを備える埋込型電子機器において、
前記取付バネは、
基端部が前記機器本体側部に当接して固定されるとともに、自由端部が前記機器本体側方に延出され、
前記基端部側に設けられる係止部、及び前記自由端部側に設けられ、前記係止部に係脱する被係止部からなる仮止め機構と、
前記被係止部を前記係止部に係合した際に前記機器本体の側方に突出形成される突出部と、を有するものである。
【０００９】
本願に開示する埋込型電子機器において、
前記取付バネの基端部側は、
前記機器本体に固定される取付部と、
前記被係止部が設けられ、前記機器本体の側部に当接する本体当接部と、を有し、
前記本体当接部は、リブ部を有する構成とすることが好ましい。
【００１０】
本願に開示する埋込型電子機器において、
前記機器本体の側部は、本体係止部を有し、
前記本体当接部は、前記本体係止部に係合する本体被係止部を有する構成とすることが好ましい。
【００１１】
本願に開示する埋込型電子機器において、
前記取付バネは、前記機器本体側部に少なくとも一対配置され、
前記被係止部を前記係止部に係合した際に、前記一対の取付バネの自由端間の間隔が前記取付穴の幅よりも大きい構成とすることが好ましい。
【００１２】
本願に開示する取付バネは、
基端部と、自由端部とを有し、
前記基端部が埋込型電子機器の機器本体側部に固定され、該機器本体を取付穴に埋め込んで取り付けるための取付バネであって、
前記基端部側に設けられる係止部と、
前記自由端部側に設けられ、前記係止部に係脱する被係止部と、を備える仮止め機構を有するものである。
【発明の効果】
【００１３】
本発明によれば、機器本体を取付穴に容易に取り付けることができる。
【図面の簡単な説明】
【００１４】
【図１】本発明の一実施形態に係る埋込型照明器具１００を斜め上方から見た斜視図。
【図２】埋込型照明器具１００を上方から見た上面図。
【図３】図２のＡ−Ａ線の位置において埋込型照明器具１００を切断した側面一部断面図。
【図４】図３のＢ−Ｂ線の位置において埋込型照明器具１００を切断した断面図。
【図５】取付バネ３１を示す斜視図。
【図６】埋込型照明器具１００の後面側から取付穴Ｈに挿入する状態を示す断面説明図。
【図７】取付バネ３１の突出部６０が取付穴Ｈに当接した状態を示す断面説明図。
【図８】埋込型照明器具１００を取付穴Ｈに取り付けた状態を示す断面説明図。
【発明を実施するための形態】
【００１５】
次に、発明の実施の形態について図を用いて説明する。
本実施形態では、埋込型電子機器の一例として埋込型照明器具を挙げて説明する。
【００１６】
本発明の実施形態に係る埋込型照明器具１００について、図１から図８を用いて説明する。本発明の実施形態に係る埋込型照明器具１００の形状は、図１に示すように、短手方向の長さに対して長手方向の長さの比率が大きい細長い略直方体である。なお、埋込型照明器具１００の形状は、図１等に示すような細長い略直方体に限らず、円形の天井孔に取り付け可能な形状（例えば特開２０１１−１９８５８２に開示）であってもよい。埋込型照明器具１００は、図６に示すように天井等の取付壁部Ｃに形成される細長い長方形状の取付穴Ｈに埋め込まれて設置されるものである。以下の説明では、埋込型照明器具１００の「前面側」は光を照射する側とし、「後面側」は前面側の反対側として説明する。また、図１における上下方向を、埋込型照明器具１００の「上下方向」として説明する。
【００１７】
埋込型照明器具１００は、図１、図２に示すように、主に器具本体（機器本体）１１、フランジ１２、及び取付バネ３１を備えている。器具本体１１には、図３に示すように、ＬＥＤモジュールからなる光源部１３、点灯装置１４、及び端子台１５等が配置される。
【００１８】
器具本体１１は、埋込型照明器具１００の本体を形成する略直方体状のものである。器具本体１１は、器具主体２１、端板部６１、及びセード７１を有している。器具主体２１及び端板部６１は、放熱性を考慮し、熱伝導性を有するアルミニウム等の金属素材を用いて形成されている。器具主体２１は、押し出し材により形成されている。器具主体２１は、図４に示すように、その断面形状において前面側に開口部を有し、後面側に点灯装置１４等を配置するための中空部を有する。器具主体２１は、断面視コ字状の外壁部２２と、この外壁部２２の内部に形成される横板部２３を有している。器具主体２１には、器具主体２１の外壁部２２において短手方向に対向する複数対の保持部５１が設けられている。外壁部２２の下部には、セード７１を差し込んで保持させる下部溝部２４が対向して形成されている。端板部６１は、図１に示すように、器具主体２１の長手方向両端部に取り付けられて、器具主体２１の両端部の開放された部分を閉塞するものである。
なお、器具主体２１及び端板部６１は、熱伝導性を有する材料であれば金属部材やアルミニウムに限定されない。また、器具主体２１は、熱伝導性を有する材料で形成されていることが好ましいが、熱伝導性を有することは必須ではない。
【００１９】
保持部５１は、取付バネ３１を器具本体１１に保持して固定する部分であり、器具主体２１の短手方向に対向する位置に複数対設けられている。保持部５１は、本体取付部５１ａ及び本体被係止部５１ｂを有している。本体取付部５１ａは、器具主体２１の外壁部２２における後面側の角部に設けられ、取付バネ３１が有する取付部３５を当接してネジ５７で取り付けるためのものであり、図示しないネジ孔を有している。本体係止部５１ｂは、後述する取付バネ３１の本体被係止部３３を係合して保持するための部分である。本体係止部５１ｂは、外壁部２２に設けられた鉤状の孔であり、本体被係止部３３が有する被係止片３３ｂを収納して係合し、取付バネ３１を器具本体１１において位置決めするためのものである。
【００２０】
セード７１は、器具主体２１の前面側の開口部２７を閉塞し、器具主体２１内に配置された光源部１３からの光を透過及び拡散させて、照射面を形成する板状の部材である。セード７１は、透光性を有する半透明のアクリル樹脂素材等で形成され、器具主体２１の下部溝部２４の端部から差し込んで、光源部１３に対向する位置に保持される。
【００２１】
光源部１３は、基板面に点光源としての複数のＬＥＤ素子を備えたＬＥＤモジュールを有しており、器具主体２１の横板部２３の下部に配置される。光源部１３と点灯装置１４は、電線（図示せず）によって電気的に接続されている。ＬＥＤ素子は、ピッチが一定になるように基板上に配置されている。
なお、本実施形態では、光源としてＬＥＤ素子を用いたが、光源の種類はＬＥＤに限定されず、例えば有機ＥＬ素子（ＯＬＥＤ）であっても実現可能である。
【００２２】
点灯装置１４は、光源部１３のＬＥＤモジュールが有するＬＥＤ素子に給電を行って、ＬＥＤ素子を点灯させるものである。具体的には、点灯装置１４は、外部商用電源から供給される交流電流を直流電流に変換し、変換後の電流を光源部１３に供給する。点灯装置１４は、器具主体２１の横板部２３の上部に配置されている。点灯装置１４は、端子台１５と電線によって電気的に接続されている。
【００２３】
端子台１５は、外部商用電源からの電源線（図示せず）が差込口に差し込まれて電気的に接続されるものである。端子台１５は、器具主体２１の横板部２３の上部において、器具主体２１の一端側に設けられる。端子台１５の差込口は器具主体２１の後面側に設けられている。
【００２４】
フランジ１２は、外壁部２２及び端板部６１の下部の外周縁に形成される断面視略Ｌ字状の鍔部である。フランジ１２の外周端部と器具本体１１との間には、器具本体１１を取付穴Ｈに取り付けた際に、器具本体１１と取付穴Ｈの周縁部との隙間を塞ぐための枠パッキン１６が設けられている。枠パッキン１６は、断面視矩形状であって、フランジ１２の内側に沿って設けられる。フランジ１２は、埋込型照明器具１００を例えば取付壁部Ｃの取付穴Ｈに設置した状態で取付壁部Ｃの下面側に枠パッキン１６を介して接触する部分である。また、枠パッキン１６は、図４に示すように、取付バネ３１が外側に開いた状態において、後述する取付バネ３１の第２湾曲部５３を支持する部分になる。
【００２５】
取付バネ３１は、器具本体１１を取付壁部Ｃの取付穴Ｈに埋め込んで取り付けるための固定手段である。取付バネ３１は、ステンレス素材等の板状金属材の中途部を複数箇所屈曲及び湾曲させて形成された板バネである。取付バネ３１は、図５に示すように、断面略Ｖ字状の板バネであり、基端部となる当接部３２が器具本体１１側部に当接して固定されるとともに、自由端部となる壁面押圧部４２が器具本体１１側方に延出されるものである。取付バネ３１は、当接部３２側に設けられる係止部３４、及び壁面押圧部４２側に設けられ、係止部３４に係脱する被係止部４４からなる仮止め機構と、前記被係止部４４を係止部３４に係合した際に器具本体１１の側方に屈曲状に突出形成される突出部６０と、を有する。
なお、本実施形態における突出部６０は、屈曲状であるが特に限定するものではなく、湾曲状であってもよい。
【００２６】
取付バネ３１は、器具主体２１の短手方向に対向する位置に複数対配設された保持部５１に取り付けられ、取付バネ３１の側部においてフランジ１２の上方から斜め上方に延出するように配置される。図８に示すように埋込型照明器具１００を取付穴Ｈに設置した状態において、壁面押圧部４２は、フランジ１２との間で取付壁部Ｃを挟持し、埋込型照明器具１００を取付壁部Ｃに固定する。壁面押圧部４２は、当接部３２の下端より延設され、壁面押圧部４２の先端部には、鉤状に折り曲げられた抜止め４３が形成されている。
なお、取付バネ３１の取付位置、本数等については、本実施形態のものに限定されるものではない。
【００２７】
当接部３２は、保持部５１の外壁部２２に沿って当接する部分である。当接部３２は、先端側から順に取付部３５、第１屈曲部３６、及び略平板状の本体当接部３７が設けられている。取付部３５は、鉤状に折り曲げられた部分であり、器具本体１１の本体取付部５１ａに固定される部分である。本体当接部３７には、本体被係止部３３が設けられ、器具本体１１の側部に当接する部分である。取付部３５と本体当接部３７が連結する部分には、略直角に屈曲する第１屈曲部３６が形成されている。取付部３５には、取付バネ３１を保持部５１の本体取付部５１ａにネジ５７で取り付けるためのネジ穴３５ａが設けられている。第１屈曲部３６には、壁面押圧部４２が有する被係止部４４と係脱自在である係止部３４が設けられている。係止部３４は、取付バネ３１を矢印Ｄ（図５）から見たＤ矢視において角丸長方形状の貫通穴３４ａと、当該貫通穴３４ａ下端を外側に突出するように形成され、被係止部４４の被係止片４４ｂを収容して保持するための係止片保持部３４ｂと、からなる。本体当接部３７の下部には、本体当接部３７の短手方向両端近傍において、外側に向けて突設される一対の直線状のリブ部３８が設けられている。この一対のリブ部３８の間には、器具主体２１の側壁部２２に設けられた係止部５１ｂに係合する本体被係止部３３が設けられている。当該本体被係止部３３は、側面視角丸長方形状の貫通穴３３ａと、当該貫通穴３３ａの上端から裏側に延出される断面視略Ｌ字状の被係止片３３ｂとからなる。
【００２８】
壁面押圧部４２は、取付壁部Ｃに対して押圧する部分であり、図５に示すように先端側から順に抜止め４３、第１平板部４５、第１屈曲部４６、第２平板部４７、第２屈曲部４８、第３平板部４９、第３屈曲部５０、第１湾曲部５２、及び第２湾曲部５３を有している。抜止め４３よりも当接部３２側には第１平板部４５が設けられており、当該第１平板部４５に連続して第２平板部４７が設けられている。第１平板部４５と第２平板部４７が連結する部分には、上方に屈曲する第１屈曲部４６が形成されている。第２平板部４７と第３平板部４９が連結する部分には、上方に屈曲する第２屈曲部４８が形成されている。第３平板部４９と第１湾曲部５２が連結する部分には、下方に屈曲する第３屈曲部５０が形成されている。第１湾曲部５２は、上方に湾曲した部分であり、当該第１湾曲部５２の当接部３２側に下方に湾曲した第２湾曲部５３が形成されている。第２湾曲部５３は、当接部３２の本体当接部３７の一端に連設されている。
なお、本実施形態における仮止め機構においては、当接部３２に係止部３４を設け、壁面押圧部４２に被係止部４４を設ける構成としているが特に限定するものではなく、当接部３２に被係止部を設け、壁面押圧部４２に係止部を設ける構成とすることもできる。
【００２９】
抜止め４３は、先端側に鉤状に折り曲げられた部分であり、器具本体１１が取付穴Ｈから抜け落ちた際に、取付壁部Ｃに引っ掛かることで器具本体１１が取付壁部Ｃから落下しないように天井に係止するためのものである。第２平板部４７の第２屈曲部４８近傍には、当接部３２の第１屈曲部３６に設けられた係止部３４に係脱自在である被係止部４４が設けられている。被係止部４４は、下側から見て角丸長方形状の貫通穴４４ａと、当該貫通穴４４ａの一端から上方に延出される断面視略Ｌ字状の被係止片４４ｂとからなる。第２湾曲部５３は、図４に示すように、被係止部４４が係止部３４に係合していない状態（係合解除状態）において、枠パッキン１６の上端に当接して支持される。
【００３０】
取付バネ３１を器具本体１１に取り付ける場合は、先ず、取付バネ３１の本体当接部３７を器具主体２１の外壁部２２に当接させるとともに、本体被係止部３３の被係止片３３ｂを本体係止部５１ｂに差し入れて、この状態で下方へと移動させることで位置決めされ、取付バネ３１がネジ５７を用いて保持部５１に固定される。この際、取付バネ３１の第２湾曲部５３下端が枠パッキン１６の上端に当接して支持された状態となる。このように取付バネ３１を器具本体１１に係合する構成とすることで、取付バネ３１を容易に位置決めできるとともに、取り付けるためのネジの省略化ができる。
【００３１】
次に、上記のように構成された埋込型照明器具１００の取り付け方法と、埋込型照明器具１００を取り付ける際の取付バネ３１の仮止め機構について、図６から図８に沿って説明する。
【００３２】
図６は、取付バネ３１の被係止部４４を係止部３４に係合した状態であり、取付壁部Ｃの取付穴Ｈに埋込型照明器具１００を取り付ける際の状態である。図６において、取付壁部Ｃに対して図示上側が天井裏の空間で、取付壁部Ｃに対して図示下側が居室空間である。埋込型照明器具１００の器具本体１１を取付壁部Ｃの下方側から取付壁部Ｃの取付穴Ｈに入れて取り付けるために、まず、図６に示すように取付バネ３１の被係止部４４を、当接部３２の係止部３４に係止させる。被係合部４４を係止部３４に係止させるには、自由端側である壁面押圧部４２を、壁面押圧部４２の弾性に抗して下方側から押し上げるようにして器具本体１１側に撓ませ、被係合部４４を係止部３４に係止させる。この際、第３平板部４９、第３屈曲部５０、及び第１湾曲部５２によって、前記器具本体１１の側方に突出部６０が形成される。また、被係合部４４を係止部３４に係止させているとき、壁面押圧部４２は、変形前の形状に戻ろうとする形状復元力が働き続ける。さらに、第２湾曲部５３の下端が枠パッキン１６の上端からフランジ１２の周縁側へ移動するとともに、枠パッキン１６に当接した状態が解除される。この場合、突出部６０による間隔Ｌ３は、取付穴の幅Ｌ２より大きい。このように構成することで、器具本体１１を取付穴Ｈに取り付ける際に、取付バネ３１の突出部６０を取付穴Ｈの周縁下部に当接させることが可能となる。
【００３３】
また、図６に示すように、取付バネ３１は、器具本体１１側部に少なくとも一対配置される場合、被係止部４４を前記係止部３４に係合して仮止めした際に、前記一対の取付バネ３１の自由端である抜止め４３の間隔Ｌ１が前記取付穴Ｈの幅Ｌ２よりも大きく構成されている。これにより、器具本体１１を取付穴Ｈに埋め込む際に不用意に器具本体１１が取付穴Ｈから脱落することを防ぐことができる。すなわち、器具本体１１を取付穴Ｈに埋め込む際、器具本体１１の抜止め４３及びその近傍が天井裏空間に挿入された状態において、器具本体１１が不用意に設置者の手から離れてしまった場合、器具本体１１は下方向へ落下しようとする。このとき、抜止め４３の間隔Ｌ１が取付穴の幅Ｌ２よりも大きいため、２つの抜止め４３のうち少なくともいずれか一方が取付壁部Ｃの取付穴Ｈの周囲に引っ掛かり、器具本体１１は取付バネ３１によって取付壁部Ｃに釣り下がった状態となる。したがって、器具本体１１を床面等に落下させてしまうことを防ぐことができるので、器具本体１１の破損を防ぐことができる。
【００３４】
また、本実施形態の埋込型照明器具１００では、図６に示すように、被係止部４４を前記係止部３４に係合して仮止めした際、壁面押圧部４２の先端側が、器具本体１１の上端よりも所定長延出するように構成している。このように構成することで、取付バネ３１における壁面押圧部４２の先端側において、容易に撓ませることが可能であり、器具本体１１を取付穴Ｈに容易に取り付けることができる。
【００３５】
このように仮止めした状態で、器具本体１１を、後面側から取付壁部Ｃの取付穴Ｈに挿入していく。さらに、器具本体１１を取付穴Ｈ内に挿入していくと、上述したように突出部６０の間隔Ｌ３が取付穴Ｈの幅Ｌ２より大きく形成されているため、図７に示すように取付穴Ｈの周縁下部と突出部６０の第３平板部４９とが当接する。次に、その当接状態から器具本体１１を上方に押圧する。これにより、第３平板部４９が器具本体１１側（図７に示す白抜き矢印方向）への押圧力を受け、第３平板部４９と第１湾曲部５２が直線状になろうとする力が働く。このような力が働くと、第２平板部４７が上方に押し上げられ、その結果、被係止部４４も上方に押し上げられ、被係止部４４が係止部３４から外れる（仮止めが解除）。被係止部４４と係止部３４との仮止めが解除された後は、図８に示すように壁面押圧部４２が自身の形状復元力により元の状態に戻り、取付穴Ｈの周縁上部を押圧する。これにより、器具本体１１は、下方向への移動が容易にできなくなるため、取付壁部Ｃの取付穴Ｈに安定して固定される。
【００３６】
以上のようにして、器具本体１１を取付壁部Ｃの取付穴Ｈに入れる際には、被係止部４４と係止部３４を仮止めして取付バネ３１を取付穴Ｈの下方側から上方側に入れれば良い。特に、本実施形態の横長の埋込型照明器具１００のように取付バネ３１を長手方向に複数設けたような場合でも、取付け作業を容易に行うことができる。
【００３７】
なお、本実施形態の器具本体１１の形状は一例であり、本実施形態の形状に限定されるものではない。例えば、器具本体１１の外形が丸型、その他の形状である場合には、その形状に応じて取付バネ３１を取り付ければよい。
また、本実施形態では、埋込型照明器具を一例として挙げたが、少なくとも天井や壁などに埋め込むことができれば、照明器具に限定されない。本実施形態の構成は、例えば埋め込み型の火災報知機やスピーカーなどに適用が可能である。
【００３８】
以上説明した本実施形態の埋込型照明器具１００によれば、器具本体１１を取付穴Ｈに取り付ける際に、取付バネ３１が有する係止部３４と被係止部４４を仮止めして突出部６０を形成し、該突出部６０を取付穴Ｈに当接させることで仮止めが自動的に解除されるため、器具本体１１を取付穴Ｈに容易に取り付けることができる。
【００３９】
また、本実施形態の埋込型照明器具１００によれば、前記本体当接部３７に補強用のリブ部３８を有する構成しているため、係止部３４と被係止部４４を仮止めする際に、本体当接部３７の不要な変形を抑えることができるので、取付バネ３１を精度よく屈曲させることができる。したがって、係止部３４と被係止部４４との仮止めが精度良くかつ容易に行える。
【符号の説明】
【００４０】
１１  器具本体
１２  フランジ
３１  取付バネ
３２  当接部
３４  係止部
４２  壁面押圧部
４４  被係止部
６０  突出部
１００  埋込型照明器具
Ｃ  取付壁部
Ｈ  取付穴
【図１】
2014220206.tif 000003
【図２】
2014220206.tif 000004
【図３】
2014220206.tif 000005
【図４】
2014220206.tif 000006
【図５】
2014220206.tif 000007
【図６】
2014220206.tif 000008
【図７】
2014220206.tif 000009
【図８】
2014220206.tif 000010